(57)【要約】【課題】不正行為を有効に防止することができるようにする。【解決手段】外枠１０及び前枠６０を有する遊技機であって、前枠６０は、外枠１０の手前側において、両者の一縁部の近傍の回動軸線（回動支持軸１５・回動軸６７）を中心に回動することによって閉位置と開位置との間を変位可能であり、前枠６０のうちの回動軸線と反対側の縁部の近傍は、前枠６０が閉位置に位置する状態で外枠１０に当接する外枠当接部７５であり、前枠６０の外枠当接部７５より外側の部分には、外枠１０の外面に沿って遊技機の奥側に向かって延びる延出部７６が形成されている。外枠１０のうち前枠６０の外枠当接部７５が当接する部分よりも内側の部分には手前側突出部２８が設けられ、前枠６０には、前枠６０が閉位置に位置する状態で手前側突出部２８が嵌合する嵌合溝７８が形成されている。【選択図】図３
2008035989.tif 000002
【特許請求の範囲】
【請求項１】
外枠及び前枠を有する遊技機であって、
前記前枠は、前記外枠の手前側において、前記外枠及び当該前枠の一縁部又はその近傍の回動軸線を中心に回動することによって前記外枠と合致する閉位置と合致しない開位置との間を変位可能なものであり、
前記前枠及び前記外枠のうちの前記回動軸線と反対側の縁部又はその近傍同士は、前記前枠が前記閉位置に位置する状態で当該両者が相互に当接又は近接する相互対応部であり、
前記相互対応部より外側の部分において、前記前枠及び前記外枠のうちの一方には、前記前枠が前記閉位置に位置する状態で前記前枠及び前記外枠のうちの他方の外面に沿って当該遊技機の奥行方向成分を有する方向に延びる延出部が形成されている、
遊技機。
【請求項２】
外枠及び前枠を有する遊技機であって、
前記前枠は、前記外枠の手前側において、前記外枠及び当該前枠の一縁部又はその近傍の回動軸線を中心に回動することによって前記外枠と合致する閉位置と合致しない開位置との間を変位可能なものであり、
前記前枠のうちの前記回動軸線と反対側の縁部の近傍は、当該前枠が前記閉位置に位置する状態で前記外枠に当接又は近接する外枠対応部であり、
前記前枠の前記外枠対応部より外側の部分には、前記前枠が前記閉位置に位置する状態で前記外枠の外面に沿って当該遊技機の奥側に向かう成分を有する方向に延びる延出部が形成されている、
遊技機。
【請求項３】
請求項１に記載の遊技機であって、
前記相互対応部よりも内側の部分において、前記外枠及び前記前枠のうちの一方には、前記外枠及び前枠のうちの他方に向かって当該遊技機の奥行方向成分を有する方向に突出する突出部が設けられ、
前記外枠及び前記前枠のうちの当該他方には、前記前枠が閉位置に位置する状態で前記突出部が嵌合する嵌合部が形成されている、
遊技機。
【請求項４】
請求項２に記載の遊技機であって、
前記外枠のうち前記前枠の前記外枠対応部が当接又は近接する部分よりも内側の部分には、当該遊技機の手前側に向かう成分を有する方向に突出する突出部が設けられ、
前記前枠には、前記前枠が閉位置に位置する状態で前記突出部が嵌合する嵌合部が形成されている、
遊技機。
【発明の詳細な説明】
【技術分野】
【０００１】
本発明は、外枠及び前枠を有する遊技機に関するものである。
【背景技術】
【０００２】
一般的に、パチンコ機等の遊技機は、外枠及び前枠を有している。
前枠は、外枠の手前側において、両者の一縁部又はその近傍の回動軸線を中心に回動可能に外枠に対して取り付けられている。こうして、前枠は、外枠に対して、閉位置と開位置との間を変位可能とされている。
外枠及び前枠のうちの一方の上述の回動軸線とは反対側の縁部の近傍には、位置固定的に被係止部材が設けられており、それに対応して、外枠及び前枠の他方には、係止部材が設けられている。係止部材は、係止用位置と非係止用位置との間を変位可能である。そして、前枠が閉位置に位置する状態で係止部材が係止用位置に維持されることによって、前枠は外枠に対して施錠される。
【０００３】
ところで、パチンコホール（遊技ホール）では、パチンコ機（遊技機）における回動軸線とは反対側の縁部における外枠と前枠との間の隙間に針金や薄肉の帯状の合成樹脂材等（以下、針金等という）を差し込み（挿通し）、係止部材を係止用位置か非係止用位置へと変位させて解錠する、という不正行為が行われる場合がある。
【０００４】
そのような不正行為を防止するために、特許文献１には、外枠にリブを設けることによって外枠と内枠（前枠）との間の隙間を埋めて、針金等がその隙間に差し込まれる（挿通される）ことを防止しようとする遊技機が開示されている。
しかしながら、それでも、不正行為を防止するのに十分とはいえないのが現状である。
【特許文献１】特開２００４−１８８０６７公報
【発明の開示】
【発明が解決しようとする課題】
【０００５】
本発明は、不正行為を有効に防止することができる遊技機を提供することを目的とする。
【課題を解決するための手段】
【０００６】
上記の目的を達成するために、請求項１に係る発明は、外枠及び前枠を有する遊技機であって、前記前枠は、前記外枠の手前側において、前記外枠及び当該前枠の一縁部又はその近傍の回動軸線を中心に回動することによって前記外枠と合致する閉位置と合致しない開位置との間を変位可能なものであり、前記前枠及び前記外枠のうちの前記回動軸線と反対側の縁部又はその近傍同士は、前記前枠が前記閉位置に位置する状態で当該両者が相互に当接又は近接する相互対応部であり、前記相互対応部より外側の部分において、前記前枠及び前記外枠のうちの一方には、前記前枠が前記閉位置に位置する状態で前記前枠及び前記外枠のうちの他方の外面に沿って当該遊技機の奥行方向成分を有する方向に延びる延出部が形成されている、遊技機である。
【０００７】
この発明の遊技機では、閉位置に位置する前枠及び外枠の相互対応部同士の隙間（その隙間がない場合は隙間を作って）に針金等を挿通して不正行為を行おうとする者は、その前に、延出部と外枠又は前枠（その外面）との間の隙間にその針金等を挿通する必要がある。
ここで、延出部は、相互対応部より外側において、前枠及び外枠のうちの一方から、前枠及び外枠のうちの他方の外面に沿って当該遊技機の奥行方向成分を有する方向に延びている。
このため、延出部と前枠及び外枠のうちの他方との間の隙間は、パチンコ機の奥行方向成分を有する方向に延びており、その隙間に針金等を挿通した後に、前枠及び外枠の相互対応部同士の隙間にその針金等を挿通するのは困難である。
このため、このパチンコ機では、不正行為（外部から係止部材を非係止用位置に変位させて前枠を解錠させる行為）が行われることが防止される。
【０００８】
請求項２に係る発明は、外枠及び前枠を有する遊技機であって、前記前枠は、前記外枠の手前側において、前記外枠及び当該前枠の一縁部又はその近傍の回動軸線を中心に回動することによって前記外枠と合致する閉位置と合致しない開位置との間を変位可能なものであり、前記前枠のうちの前記回動軸線と反対側の縁部の近傍は、当該前枠が前記閉位置に位置する状態で前記外枠に当接又は近接する外枠対応部であり、前記前枠の前記外枠対応部より外側の部分には、前記前枠が前記閉位置に位置する状態で前記外枠の外面に沿って当該遊技機の奥側に向かう成分を有する方向に延びる延出部が形成されている、遊技機である。
【０００９】
この発明の遊技機では、閉位置に位置する前枠の外枠対応部と外枠との間の隙間（その隙間がない場合は隙間を作って）に針金等を挿通して不正行為を行おうとする者は、その前に、延出部と外枠（その外面）との間の隙間にその針金等を挿通する必要がある。
ここで、延出部は、前枠の外枠対応部より外側の部分から、外枠の外面に沿って当該遊技機の奥側に向かう成分を有する方向に延びている。
このため、延出部と外枠との間の隙間は、パチンコ機の奥側に向かう成分を有する方向に延びており、その隙間に針金等を挿通した後に、前枠の外枠対応部と外枠との間の隙間にその針金等を挿通するのは困難である。
このため、このパチンコ機では、不正行為（外部から係止部材を非係止用位置に変位させて前枠を解錠させる行為）が行われることが防止される。
【００１０】
請求項３に係る発明は、請求項１に係る発明の遊技機であって、前記相互対応部よりも内側の部分において、前記外枠及び前記前枠のうちの一方には、前記外枠及び前枠のうちの他方に向かって当該遊技機の奥行方向成分を有する方向に突出する突出部が設けられ、前記外枠及び前記前枠のうちの当該他方には、前記前枠が閉位置に位置する状態で前記突出部が嵌合する嵌合部が形成されている、遊技機である。
【００１１】
ここで、請求項３に係る発明の「外枠及び前枠のうちの一方」は、請求項１に係る発明の「前枠及び外枠のうちの一方」と同一であってもよいし、異なっていてもよい。
【００１２】
この発明の遊技機では、請求項１に係る遊技機の作用効果に加えて、次の作用効果が得られる。
すなわち、この発明の遊技機では、外枠及び前枠の相互対応部よりも内側の部分において、外枠及び前枠のうちの一方に設けられた突出部（外枠及び前枠の他方に向かって遊技機の奥行方向成分を有する方向に突出する）が、外枠及び前枠のうちの他方に形成された嵌合部に嵌合する。
このため、不正行為を行おうとする者が、仮に、延出部と外枠又は前枠との間の隙間に針金等を挿通した後に、前枠及び外枠の相互対応部同士の隙間にその針金等を挿通した場合でも、その者は、さらに、突出部と嵌合部との間の隙間にその針金等を挿通する必要があり、それは非常に困難である。
このため、このパチンコ機では、不正行為が行われることがさらに防止される。
【００１３】
請求項４に係る発明は、請求項２に係る発明の遊技機であって、前記外枠のうち前記前枠の前記外枠対応部が当接又は近接する部分よりも内側の部分には、当該遊技機の手前側に向かう成分を有する方向に突出する突出部が設けられ、前記前枠には、前記前枠が閉位置に位置する状態で前記突出部が嵌合する嵌合部が形成されている、遊技機である。
【００１４】
この発明の遊技機では、請求項２に係る遊技機の作用効果に加えて、次の作用効果が得られる。
すなわち、この発明の遊技機では、外枠のうち前枠の外枠対応部が当接又は近接する部分よりも内側の部分に設けられた突出部（当該遊技機の手前側に向かう成分を有する方向に突出する）が、前枠に形成された嵌合部に嵌合する。
このため、不正行為を行おうとする者が、仮に、延出部と外枠との間の隙間に針金等を挿通した後に、前枠の外枠対応部と外枠との間の隙間にその針金等を挿通した場合でも、その者は、さらに、突出部と嵌合部との間の隙間にその針金等を挿通する必要があり、それは非常に困難である。
このため、このパチンコ機では、不正行為が行われることがさらに防止される。
【発明の効果】
【００１５】
以上のように、本発明の遊技機では、前枠が閉位置に位置する状態で不正行為が行われることが有効に防止される。
【発明を実施するための最良の形態】
【００１６】
次に、本発明の一実施形態について、図面に基づいて説明する。
図１〜図３に示すように、このパチンコ機（遊技機）は、外枠１０及び前枠６０を有している。前枠６０は、外枠１０に対して、閉位置（図１）と開位置（図２）との間を変位可能に取り付けられている。
図１〜図３に示すように、外枠１０及び前枠６０は、相互に対応した形状及び大きさを有している。外枠１０及び前枠６０とも、縦長の長方形状の枠状をしている。
外枠１０は、パチンコホールにおける取付壁部（図示省略）に設けられた各区画（「島」ともいわれる）に対して取り付けられる。こうして、各パチンコ機がパチンコホールの取付壁部の各区画（島）に対して取り付けられる。
【００１７】
図３に示すように、外枠１０は、左右一対の縦枠材２０ａ，２０ｂ及び上下一対の横枠材３０ａ，３０ｂを有している。各横枠材３０ａ，３０ｂと各縦枠材２０ａ，２０ｂとは、結合金具（符号省略）を介して結合されている。
一対の縦枠材２０ａ，２０ｂは、ともにほぼ鉛直に延びている。各縦枠材２０ａ，２０ｂは、金属によって形成されている。各縦枠材２０ａ，２０ｂは、その横断面において、このパチンコ機の奥行方向に延びている。
一対の横枠材３０ａ，３０ｂは、ともにほぼ水平方向に延びる帯板状をしている。各横枠材３０ａ，３０ｂは、その縦断面において、このパチンコ機の奥行方向に延びている。
下方の横枠材３０ｂの手前側には、幕板３２が取り付けられている。幕板３２も、ほぼ水平に延びる帯板状をしている。幕板３２は、その縦断面において、ほぼ鉛直方向に延びている。
各横枠材３０ａ，３０ｂ及び幕板３２は、木材等によって形成されている。
【００１８】
図１〜図３に示すように、前枠６０は、左右一対の縦板部７０ａ，７０ｂ及び上下一対の横板部８０ａ，８０ｂを有している。両縦板部７０ａ，７０ｂ及び両横板部８０ａ，８０ｂによって、ほぼ鉛直にかつこのパチンコ機の幅方向に延びる平板が形成されるとともに、その中央部分に開口部６１が形成されている。
前枠６０には、遊技盤（図示省略）等が設けられる。遊技盤には、多数の釘，風車，各種の入賞口，センター役物等の各種の部品（いずれも図示省略）が取り付けられている。
遊技盤の裏側には、制御装置等の各種の部品（いずれも図示省略）が取り付けられる。
【００１９】
図３に示すように、外枠１０の左下部には、軸用金具１４が設けられている。軸用金具１４には、回動支持軸１５が形成されている。
外枠１０の４隅に対応して配設された４つの結合金具（符号省略）のうちの左上の結合金具（符号省略）には、軸孔形成部１６が設けられている。軸孔形成部１６には軸孔１７が形成されている。
【００２０】
一方、前枠６０の左下部（前枠６０が閉位置に位置する状態における左下部。以下同様）には、軸孔用金具６４が固定されており、軸孔用金具６４には軸孔６５が形成されている。その軸孔６５には、回動支持軸１５が相対的に回動可能に挿通される。
前枠６０の左上部には、軸用金具６６が固定されており、軸用金具６６には回動軸６７が形成されている。その回動軸６７は、軸孔１７に対して、回動可能に挿通される。
【００２１】
こうして、図１〜図３に示すように、前枠６０は、外枠１０に対して、前枠６０及び外枠１０の左縁部（正確にはその近傍）の回動軸線（回動支持軸１５，回動軸６７）を中心に回動可能に取り付けらている。
そして、前枠６０は、外枠１０と合致する閉位置（図１）と、外枠１０と合致しない開位置（図２）との間を変位可能である。
【００２２】
図２に示すように、外枠１０の右側の縦枠材２０ｂの内側部分には、上下一対の被係止部材４０が固定されている。
それに対応して、前枠６０の右側の縦板部７０ｂには、上下一対の係止部材９０が設けられている。各係止部材９０は、回動軸９１を中心に係止用位置（図示）と非係止用位置（図示せず）との間を変位（揺動）可能に設けられている。
各係止部材９０は、係止用位置に位置する状態で、奥側に（前枠６０が閉位置に位置する状態において奥側に）ほぼ水平に延びる。各係止部材９０は、非係止用位置に位置する状態で、奥側に向かうとともに下方に向かうように斜め下方に延びる。各係止部材９０は、通常は、係止用位置に位置するように付勢されている。
【００２３】
そして、前枠６０が閉位置に位置する状態で、各係止部材９０が係止用位置に位置することによって、各係止部材９０は、各被係止部材４０に対して係止し、その状態で維持される。こうして、前枠６０は、外枠１０に対して、閉位置に位置する状態で施錠される。
図１に示すように、前枠６０には鍵穴９５が設けられている。鍵穴９５に所定のキーが差し込まれて解錠操作されることによって、各係止部材９０（図２）は非係止用位置に変位し、前枠６０は解錠される。
【００２４】
図４に示すように、前枠６０の右側の縦板部７０ｂの右縁部の近傍（その奥側の面）は、外枠当接部７５（外枠対応部）である。前枠６０が閉位置に位置する状態で、外枠当接部７５は、外枠１０の右側の縦枠材２０ｂの前端部に当接する。
前枠６０（右側の縦板部７０ｂ）の外枠当接部７５（外枠対応部）及び外枠１０（右側の縦枠材２０ｂ）のうち外枠当接部７５が当接する部分が、本発明の相互対応部に該当する。
【００２５】
図３及び図４に示すように、前枠６０の右側の縦板部７０ｂの右縁部（外枠当接部７５よりも外側の部分）には、延出部７６が設けられている。
図４に示すように、前枠６０が閉位置に位置する状態において、延出部７６は、前枠６０の右側の縦板部７０ｂの右縁部から、外枠１０の右側の縦枠材２０ｂの外面に沿って、奥側（パチンコ機の奥側）に延びている。
図３に示すように、延出部７６は、前枠６０の上端部から下端部にわたって、前枠６０の高さ方向に沿って延びている。
図４に示すように、延出部７６と外枠１０（その外面）との間には、パチンコ機の奥側に向かう微小な隙間のみが存在している。
【００２６】
図３及び図４に示すように、外枠１０の右側の縦枠材２０ｂには、手前側突出部２８（突出部）が設けられている。
図４に示すように、手前側突出部２８は、外枠１０の右側の縦枠材２０ｂの内側の部分（前枠６０の外枠当接部７５が当接する部分よりも内側の部分）において、手前側に突出している。すなわち、外枠１０の右側の縦枠材２０ｂの内側の面には、短く内側方向に突出する内側突出部２７が設けられ、その内側突出部２７を介して、手前側突出部２８が、外枠１０の右側の縦枠材２０ｂに設けられている。
手前側突出部２８の前端部は、外枠１０の右側の縦枠材２０ｂの前端部よりも手前側に位置している。
図３に示すように、手前側突出部２８は、外枠１０の右側の縦枠材２０ｂの上端部から下端部にわたって、その高さ方向に沿って延びている。
【００２７】
図３及び図４に示すように、前枠６０の右側の縦板部７０ｂには、手前側突出部２８に対応して、嵌合溝７８（嵌合部）が形成されている。
図４に示すように、嵌合溝７８は、外枠当接部７５よりも内側の部分において、前枠６０の右側の縦板部７０ｂの奥側の面から手前側に向かってくぼんでいる。
図３に示すように、嵌合溝７８は、前枠６０の右側の縦板部７０ｂの上端部（正確にはその近傍）から下端部にわたって、その高さ方向に沿って延びている。
こうして、前枠６０が閉位置に位置する状態（図１）で、図４に示すように、手前側突出部２８が嵌合溝７８に嵌合する。
【００２８】
次に、このパチンコ機の作用効果について説明する。
図１に示すように、このパチンコ機では、前枠６０が閉位置に位置して前枠６０が外枠１０に対して施錠された状態において、外枠１０の右側の縦枠材２０ｂと前枠６０の右側の縦板部７０ｂとの間の隙間に針金等を挿通して不正行為が行われようとする際は、次のとおりである。
すなわち、その際は、図４に示すように、外枠１０の右側の縦枠材２０ｂの前端部と前枠６０の右側の縦板部７０ｂの外枠当接部７５との間の隙間（隙間がない場合は隙間を作って）に針金等が挿通される前に、延出部７６と外枠１０（その外面）との間の隙間にその針金等が挿通される必要がある。
しかしながら、延出部７６と外枠１０との間の隙間は、パチンコ機の奥行方向に延びており、その隙間に針金等を挿通した後に、外枠１０の右側の縦枠材２０ｂの前端部と前枠６０の右側の縦板部７０ｂ（外枠当接部７５）との間の隙間に針金等を挿通するのは困難である。
このため、このパチンコ機では、不正行為（外部から係止部材９０を非係止用位置に変位させて前枠６０を解錠させる行為）が行われることが防止される。
【００２９】
また、このパチンコ機では、さらに、その内側において、外枠１０の手前側突出部２８が前枠６０の嵌合溝７８に嵌合している。
このため、不正行為が行われようとする際には、前述の行為の後に、さらに、前枠６０の嵌合溝７８と外枠１０の手前側突出部２８との間の隙間に針金等が挿通される必要がある。
しかしながら、前述の行為の後に、さらにこの行為を行うことはを極めて困難である。
このため、このパチンコ機では、不正行為が行われることがさらに防止される。
【００３０】
なお、上記のものはあくまで本発明の一実施形態にすぎず、当業者の知識に基づいて種々の変更を加えた態様で本発明を実施できることはもちろんである。
【００３１】
例えば、手前側突出部（２８）及び嵌合溝（７８）は、形成されていなくてもよい。また、前枠（６０）に突出部が形成され、外枠（１０）に嵌合溝（７８）が形成されていてもよい。その際は、その突出部は奥側又は奥側に向かう成分を有する方向に突出する。
また、延出部（７６）は、前枠（６０）に形成されるのではなく、外枠（１０）に形成されていてもよい。その際は、延出部（７６）は、手前側又は手前側に向かう成分を有する方向に延びる。
【図面の簡単な説明】
【００３２】
【図１】本発明の一実施形態の遊技機を示す斜視図である。前枠が閉位置に位置する状態を示す。
【図２】本発明の一実施形態の遊技機を示す斜視図である。前枠が開位置に位置する状態を示す。
【図３】本発明の一実施形態の遊技機を示す分解斜視図である。前枠が開位置に位置する状態を示す。
【図４】本発明の一実施形態の遊技機の要部を拡大して示す横断面図である。前枠が閉位置に位置する状態を示す。
【符号の説明】
【００３３】
１０  外枠
１５  回動支持軸（回動軸線）
２８  手前側突出部（突出部）
６０  前枠
６７  回動軸（回動軸線）
７５  外枠当接部（外枠対応部（相互対応部））
７６  延出部
７８  嵌合溝（嵌合部）
【図１】
2008035989.tif 000003
【図２】
2008035989.tif 000004
【図３】
2008035989.tif 000005
【図４】
2008035989.tif 000006